(57)【要約】【課題】  何れの方向からテンプルに外力を受けても、固定位置をズレ難く、更に一歩進んで、フロント枠を顔面に理想的角度に安定に保持することができる眼鏡テンプルの位置調節機構を提供すること。【解決手段】  一方の差込側のパーツＥ１の対向端面には湾曲舌片１を突成し、この湾曲舌片１の湾曲面12には、当該湾曲面12を上下に貫通し、かつ、少なくともテンプルＴの長手方向に長い長孔状のクリアランス貫通孔11を設ける一方、他方のパーツＥ２には、前記湾曲舌片１の形状に合致するスロット溝２を半筒ブラケット21との間に形成し、このスロット溝２の内周面と前記湾曲舌片１の湾曲面12との曲面同士を摺接してスライド自在に嵌装するとともに、前記差込側のパーツＥ１におけるクリアランス貫通孔11に対して連通可能な止着孔３を前記半筒ブラケット21を貫通して設けて、この止着孔３と前記湾曲舌片１とのクリアランス貫通孔11を貫通して止着部材４を止着緊締する。【選択図】  図３
2010097085.tif 000002
【特許請求の範囲】
【請求項１】
左右一対のレンズＬ・Ｌを保持可能なフロント部Ｆの側方に配設したエンドピースＥを介して折り畳み自在なテンプルＴ・Ｔを具備して構成される眼鏡において、
エンドピースＥの基端部はフロント部Ｆに結合されている一方、先端部には前記テンプルＴの基端側をヒンジ枢支する蝶番ネジ５を軸受可能なヒンジ孔６を有しており、
エンドピースＥは上下に、かつ、側方から摺り合わせ嵌合可能に分割された二つのパーツＥ１・Ｅ２で構成されており、一方の差込側のパーツＥ１の対向端面には湾曲舌片１が突成されており、この湾曲舌片１の湾曲面12には、当該湾曲面12を上下に貫通し、かつ、少なくともテンプルＴの長手方向に長い長孔状のクリアランス貫通孔11が設けられている一方、他方のパーツＥ２には、前記湾曲舌片１の形状に合致するスロット溝２が半筒ブラケット21との間に形成されており、
このスロット溝２の内周面と前記湾曲舌片１の湾曲面12との曲面同士が摺接してスライド自在に嵌装されているとともに、
前記差込側のパーツＥ１におけるクリアランス貫通孔11に対して連通可能な止着孔３が前記半筒ブラケット21を貫通して設けられており、この止着孔３と前記湾曲舌片１とのクリアランス貫通孔11を貫通して止着部材４が止着緊締されることによって、前記各々のエンドピースパーツＥ１・Ｅ２の両部材が連結固定されて、各テンプルＴの俯仰角度を、前記クリアランス貫通孔11と止着孔３との止着クリアランス許容範囲内において、それぞれ独立的に調節可能に構成したことを特徴とする眼鏡テンプルの位置調節機構。
【請求項２】
止着孔３に雌ネジ孔31が設けられており、止着部材４の先端の雄ネジ41が螺合することを特徴とする請求項１記載の眼鏡テンプルの位置調節機構。
【請求項３】
スロット溝２がエンドピースパーツＥ２の側面に開口して設けられており、湾曲舌片１を側方から差入れ可能であることを特徴とする請求項１または２記載の眼鏡テンプルの位置調節機構。
【請求項４】
左右一対のレンズＬ・Ｌを保持可能なフロント部Ｆの側方に配設したエンドピースＥを介して折り畳み自在なテンプルＴ・Ｔを具備して構成される眼鏡において、
エンドピースＥの基端部はフロント部Ｆに結合されている一方、先端部には前記テンプルＴの基端側をヒンジ枢支する蝶番ネジ５を軸受可能なヒンジ孔６を有しており、
エンドピースＥは上下に、かつ、側方から摺り合わせ嵌合可能に分割された二つのパーツＥ１・Ｅ２で構成されており、一方の差込側のパーツＥ１の対向端面には湾曲舌片１が突成されており、この湾曲舌片１の湾曲面12には、当該湾曲面12を上下に貫通し、かつ、少なくともテンプルＴの長手方向に長い長孔状のクリアランス貫通孔11が設けられている一方、他方のパーツＥ２には、前記湾曲舌片１の形状に合致するスロット溝２が半筒ブラケット21との間に形成されており、
このスロット溝２の内周面と前記湾曲舌片１の湾曲面12との曲面同士が摺接してスライド自在に嵌装されているとともに、
前記差込側のパーツＥ１におけるクリアランス貫通孔11に対して連通可能な止着孔３が前記半筒ブラケット21を貫通して設けられており、この止着孔３と前記湾曲舌片１とのクリアランス貫通孔11を貫通して止着部材４が止着緊締されることによって、前記各々のエンドピースパーツＥ１・Ｅ２の両部材が連結固定されて、各テンプルＴの俯仰角度を、前記クリアランス貫通孔11と止着孔３との止着クリアランス許容範囲内において、それぞれ独立的に調節可能に構成されている一方、
ヒンジ孔６とクリアランス長孔71が設けられたプレート部材７と、テンプルＴの基端部とが掛合されて駒部品が構成されており、
このプレート部材７は、湾曲舌片１に形成したスリット13に嵌合されており、前記クリアランス長孔71の位置を調節してクリアランス貫通孔11と同軸に止着部材４を挿通止着することにより前記ヒンジ孔６の位置を変更することによって、テンプルＴの拡開範囲を調節できることを特徴とする眼鏡テンプルの位置調節機構。
【請求項５】
湾曲舌片１を有するエンドピースパーツＥ１がフロント連結側に設けられていることを特徴とする請求項１〜４の何れか一つに記載の眼鏡テンプルの位置調節機構。
【発明の詳細な説明】
【技術分野】
【０００１】
本発明は、眼鏡フレームの改良、更に詳しくは、簡単な調節操作でテンプル位置を調節して着用者の耳介に沿って側頭部にテンプルを確実にフィットさせることができて、しかも、何れの方向からテンプルに外力を受けても、固定位置をズレ難く、フロント枠を顔面に理想的角度に安定に保持することができる眼鏡テンプルの位置調節機構に関するものである。
【背景技術】
【０００２】
周知のとおり、眼鏡を着用する際には、リム等にレンズを保持したフロント部の両側に配設されたテンプルを耳に掛けることによって、レンズを着用者の眼前に所定角度に配置させる構造が採用されている。
【０００３】
ところで、耳の形状は個人によって多種多様であり、必ずしも左右対称でもないことから、工業製品として画一的に生産された既製の眼鏡フレームでは、テンプルやその先端に設けられたモダンを着用者の耳に的確にフィットさせることができず、痛みを与えたり、または、片方のテンプルが耳介の付け根に適切に沿わずに浮き上がってガタつきを生じるおそれがあった。
【０００４】
従来、着用者の耳にテンプルをフィットさせるためには、テンプルやモダンを手で曲げて調節していたが、何度も調節を繰り返しているうちに折れて破損してしまうおそれがあった。
【０００５】
そこで、テンプルのフィッティング構造としては、テンプルとフロント部との相対位置を変化させる方式のものがあり、テンプルの基端部分に俯仰角度を調節可能な機構を設けたものが開示されている（例えば、特許文献１および特許文献２参照）。
【０００６】
しかしながら、かかる角度調節機構は、図９に示すように、テンプルをヒンジ枢支する蝶番ネジの主軸方向に対して垂直となる方向に止着ネジが挿入されて枢支しているため、テンプル開閉方向に対して垂直となる方向からテンプルに外力を受けた場合には、基端の軸支部分に大きなモーメントを受けるため、前記止着ネジを回転軸として簡単に回転して固定位置がズレてしまうという問題があった。
【特許文献１】実開昭６２−１２７５２１号公報（第１−２頁、第１−５図）
【特許文献２】特開昭５８−２７１２２号公報（第２−４頁、第１−５図）
【発明の開示】
【発明が解決しようとする課題】
【０００７】
本発明は、従来の眼鏡フレームに上記のような問題があったことに鑑みて為されたものであり、その目的とするところは、簡単な調節操作でテンプル位置を調節して着用者の耳介に沿って側頭部にテンプルを確実にフィットさせることができて、しかも、何れの方向からテンプルに外力を受けても、固定位置をズレ難く、更に一歩進んで、フロント枠を顔面に理想的角度に安定に保持することができる眼鏡テンプルの位置調節機構を提供することにある。
【課題を解決するための手段】
【０００８】
本発明者が上記課題を解決するために採用した手段を添付図面を参照して説明すれば次のとおりである。
【０００９】
即ち、本発明は、左右一対のレンズＬ・Ｌを保持可能なフロント部Ｆの側方に配設したエンドピースＥを介して折り畳み自在なテンプルＴ・Ｔを具備して構成される眼鏡において、エンドピースＥの基端部をフロント部Ｆに結合させる一方、先端部には前記テンプルＴの基端側をヒンジ枢支する蝶番ネジ５を軸受可能なヒンジ孔６を有しており、
エンドピースＥを上下に、かつ、側方から摺り合わせ嵌合可能に分割された二つのパーツＥ１・Ｅ２で構成して、一方の差込側のパーツＥ１の対向端面には湾曲舌片１を突成し、この湾曲舌片１の湾曲面12には、当該湾曲面12を上下に貫通し、かつ、少なくともテンプルＴの長手方向に長い長孔状のクリアランス貫通孔11を設ける一方、他方のパーツＥ２には、前記湾曲舌片１の形状に合致するスロット溝２を半筒ブラケット21との間に形成し、
このスロット溝２の内周面と前記湾曲舌片１の湾曲面12との曲面同士を摺接してスライド自在に嵌装するとともに、
前記差込側のパーツＥ１におけるクリアランス貫通孔11に対して連通可能な止着孔３を前記半筒ブラケット21を貫通して設けて、この止着孔３と前記湾曲舌片１とのクリアランス貫通孔11を貫通して止着部材４を止着緊締することによって、前記各々のエンドピースパーツＥ１・Ｅ２の両部材を連結固定して、各テンプルＴの俯仰角度を、前記クリアランス貫通孔11と止着孔３との止着クリアランス許容範囲内において、それぞれ独立的に調節可能に構成するという技術的手段を採用したことによって、眼鏡テンプルの位置調節機構を完成させた。
【００１０】
また、本発明は、上記課題を解決するために、必要に応じて上記手段に加え、止着孔３に雌ネジ孔31を設け、止着部材４の先端の雄ネジ41を螺合させるという技術的手段を採用した。
【００１１】
更にまた、本発明は、上記課題を解決するために、必要に応じて上記手段に加え、スロット溝２をエンドピースパーツＥ２の側面に開口して設け、湾曲舌片１を側方から差入れ可能にするという技術的手段を採用した。
【００１２】
また、本発明は、左右一対のレンズＬ・Ｌを保持可能なフロント部Ｆの側方に配設したエンドピースＥを介して折り畳み自在なテンプルＴ・Ｔを具備して構成される眼鏡において、エンドピースＥの基端部をフロント部Ｆに結合させる一方、先端部には前記テンプルＴの基端側をヒンジ枢支する蝶番ネジ５を軸受可能なヒンジ孔６を有しており、
エンドピースＥを上下に、かつ、側方から摺り合わせ嵌合可能に分割された二つのパーツＥ１・Ｅ２で構成して、一方の差込側のパーツＥ１の対向端面には湾曲舌片１を突成し、この湾曲舌片１の湾曲面12には、当該湾曲面12を上下に貫通し、かつ、少なくともテンプルＴの長手方向に長い長孔状のクリアランス貫通孔11を設ける一方、他方のパーツＥ２には、前記湾曲舌片１の形状に合致するスロット溝２を半筒ブラケット21との間に形成し、
このスロット溝２の内周面と前記湾曲舌片１の湾曲面12との曲面同士を摺接してスライド自在に嵌装するとともに、
前記差込側のパーツＥ１におけるクリアランス貫通孔11に対して連通可能な止着孔３を前記半筒ブラケット21を貫通して設けて、この止着孔３と前記湾曲舌片１とのクリアランス貫通孔11を貫通して止着部材４を止着緊締することによって、前記各々のエンドピースパーツＥ１・Ｅ２の両部材を連結固定して、各テンプルＴの俯仰角度を、前記クリアランス貫通孔11と止着孔３との止着クリアランス許容範囲内において、それぞれ独立的に調節可能に構成する一方、
ヒンジ孔６とクリアランス長孔71が設けられたプレート部材７と、テンプルＴの基端部とが掛合されて駒部品を構成して、
このプレート部材７を、湾曲舌片１に形成したスリット13に嵌合して、前記クリアランス長孔71の位置を調節してクリアランス貫通孔11と同軸に止着部材４を挿通止着することにより前記ヒンジ孔６の位置を変更することによって、テンプルＴの拡開範囲を調節できるようにするという技術的手段を採用することもできる。
【００１３】
また、本発明は、上記課題を解決するために、必要に応じて上記手段に加え、湾曲舌片１を有するエンドピースパーツＥ１をフロント連結側に設けるという技術的手段を採用した。
【発明の効果】
【００１４】
本発明においては、エンドピースを上下に、かつ、側方から摺り合わせ嵌合可能に分割した二つのパーツで構成して、一方の差込側のパーツの対向端面には湾曲舌片を突成し、この湾曲舌片の湾曲面には、当該湾曲面を上下に貫通し、かつ、少なくともテンプルの長手方向に長い長孔状のクリアランス貫通孔を設ける一方、他方のパーツには、前記湾曲舌片１の形状に合致するスロット溝を半筒ブラケットとの間に形成し、
このスロット溝の内周面と前記湾曲舌片の湾曲面との曲面同士を摺接してスライド自在に嵌装するとともに、
前記差込側のパーツにおけるクリアランス貫通孔に対して連通可能な止着孔を前記半筒ブラケットを貫通して設けて、この止着孔と前記湾曲舌片とのクリアランス貫通孔を貫通して止着部材を止着緊締することによって、前記各々のエンドピースパーツの両部材を連結固定して、各テンプルの俯仰角度を、前記クリアランス貫通孔と止着孔との止着クリアランス許容範囲内において、それぞれ独立的に調節可能に構成することができる。
【００１５】
したがって、本発明の位置調節機構を使用することにより、簡単な調節操作でテンプル位置を調節して着用者の耳介に沿って側頭部にテンプルを確実にフィットさせることができて、しかも、何れの方向からテンプルに外力を受けても、固定位置をズレ難く、フロント枠を顔面に理想的角度に安定に保持することができる。
【００１６】
また、テンプルに外力を受けた場合であっても、基端側に回転軸が存在しないために、軸回りの回転を防止でき、かつ、摩擦抵抗も大きくできて止着部分のズレを防ぐことができることから、眼鏡フレームにおける実用的利用価値は頗る高いものがある。
【発明を実施するための最良の形態】
【００１７】
本発明を実施するための最良の形態を具体的に図示した図面に基づいて更に詳細に説明すると、次のとおりである。
【００１８】
『第１実施形態』
本発明の第１実施形態を図１から図４に基づいて説明する。図中、符号１で指示するものは湾曲舌片であり、この湾曲舌片１はエンドピースＥの分割した一方の差込側のパーツＥ１の対向端面から突成されている。
【００１９】
また、符号２で指示するものはスロット溝であり、このスロット溝２は分割した他方のエンドピースパーツＥ２に形成される部位である。
【００２０】
更にまた、符号３で指示するものは止着孔であり、符号４で指示するものは止着部材であり、公知の雄ネジを採用し、互いに螺合する。
【００２１】
更にまた、符号５で指示するものは蝶番ネジであり、符号６で指示するものはヒンジ孔であり、このヒンジ孔６はエンドピースＥの先端側に形成されており、蝶番ネジ５が螺合している。
【００２２】
しかして、本発明における位置調節機構は、左右一対のレンズＬ・Ｌを保持可能なフロント部Ｆの側方に配設したエンドピースＥを介して折り畳み自在なテンプルＴ・Ｔを具備して構成される眼鏡において採用されるものである（図１参照）。
【００２３】
まず、前記エンドピースＥの基端部はフロント部Ｆに結合されている一方、先端部には前記テンプルＴの基端側をヒンジ枢支する蝶番ネジ５を軸受可能なヒンジ孔６を有している。
【００２４】
そして、前記エンドピースＥを上下に、かつ、側方から摺り合わせ嵌合可能に分割された二つのパーツＥ１・Ｅ２で構成する。本実施形態では、エンドピースパーツＥ１をフロント連結側とする。
【００２５】
この際、図２に示すように、一方（フロント側）のパーツＥ１の対向端面には湾曲舌片１を突成する。この湾曲舌片１の湾曲面12には、当該湾曲面12を上下に貫通し、かつ、少なくともテンプルＴの長手方向に長い長孔状のクリアランス貫通孔11を設ける。
【００２６】
また、他方（テンプル側）のパーツＥ２には、前記湾曲舌片１の形状に合致するスロット溝２を半筒ブラケット21との間に形成する。
【００２７】
そして、このスロット溝２の内周面と湾曲舌片１の湾曲面12との曲面同士が摺接してスライド自在に嵌装させることができる（図３参照）。本実施形態では、かかる曲面における摺接面積が大きく、かつ、止着部材４により挟圧付勢されているので、テンプルに受けた外力によってモーメントがかかった場合であっても、エンドピースパーツ同士のズレを極めて小さくすることができる。
【００２８】
なお、本実施形態では、スロット溝２をエンドピースパーツＥ２の側面に開口して設けることができ、湾曲舌片１を側方から差し入れ可能にして、部材の脱落を防止することができる。
【００２９】
また、前記差込側のパーツＥ１におけるクリアランス貫通孔11に対して連通可能な止着孔３を前記半筒ブラケット21を貫通して設ける。
【００３０】
然る後、この止着孔３と前記湾曲舌片１とのクリアランス貫通孔11を貫通して止着部材４を止着緊締する。本実施形態では、止着孔３に雌ネジ孔31を設け、止着部材４の先端の雄ネジ41を螺合せしめることによって、確実に止着緊締することができる。
【００３１】
このようにして、前記各々のエンドピースパーツＥ１・Ｅ２の両部材を連結固定することができ、各テンプルＴの俯仰角度を、前記クリアランス貫通孔11と止着孔３との止着クリアランス許容範囲内において、それぞれ独立的に調節することができる。なお、本実施形態では、クリアランス貫通孔11の長孔の許容範囲により、テンプルの俯仰角度を２°〜４°の間で調節することができる（図４参照）。
【００３２】
『第２実施形態』
次に、本発明の第２実施形態を図５から図８に基づいて説明する。本実施形態では、まず、蝶番ネジ５を軸受するヒンジ孔６とクリアランス長孔71が設けられたプレート部材７と、テンプルＴの基端部とを掛合して駒部品を構成する（図５および図６参照）。また、本実施形態では、エンドピースＥの各パーツＥ１・Ｅ２が第１実施形態とは配設位置が逆の組み合わせになっている。
【００３３】
このプレート部材７は、湾曲舌片１に形成したスリット13に嵌合して、前記クリアランス長孔71の位置を調節してクリアランス貫通孔11と同軸に止着部材４を挿通止着することにより固定することができる。
【００３４】
このように、蝶番ネジ５をヒンジ枢支するヒンジ孔６の位置を変更することによって、間隙Ｓの大小を変化させることができ、テンプルＴの拡開範囲を調節することができる（図７および図８参照）。
【００３５】
本発明は概ね上記のように構成されるが、図示の実施形態に限定されるものでは決してなく、「特許請求の範囲」の記載内において種々の変更が可能であって、例えば、湾曲舌片１とスロット溝２の形状は、曲面同士が摺接してスライド自在に嵌装できるものであれば、半円形状に限らず、他形状に設計変更することができる。
【００３６】
また、エンドピースＥの各パーツＥ１・Ｅ２は、フロント側またはテンプル側の何れに設けても良く、これら何れのものも本発明の技術的範囲に属する。
【図面の簡単な説明】
【００３７】
【図１】本発明の第１実施形態の位置調節機構を用いた眼鏡を表わす全体斜視図である。
【図２】本発明の第１実施形態の位置調節機構を表わす部分分解斜視図である。
【図３】本発明の第１実施形態の位置調節機構を表わす斜視図である。
【図４】本発明の第１実施形態の位置調節機構を表わす側面図である。
【図５】本発明の第２実施形態の位置調節機構を表わす部分分解斜視図である。
【図６】本発明の第２実施形態の位置調節機構を表わす斜視図である。
【図７】本発明の第２実施形態の位置調節機構を表わす斜視図である。
【図８】本発明の第２実施形態の位置調節機構を用いた眼鏡を表わす全体上面図である。
【図９】従来の眼鏡を表わす部分斜視図である。
【符号の説明】
【００３８】
１    湾曲舌片
11    クリアランス貫通孔
12    湾曲面
13    スリット
２    スロット溝
３    止着孔
31    雌ネジ孔
４    止着部材
41    雄ネジ
５    蝶番ネジ
６    ヒンジ孔
７    プレート部材
71    クリアランス長孔
Ｅ    エンドピース
Ｅ１  エンドピースパーツ
Ｅ２  エンドピースパーツ
Ｌ    レンズ
Ｔ    テンプル
Ｆ    フロント
Ｓ    間隙
【図１】
2010097085.tif 000003
【図２】
2010097085.tif 000004
【図３】
2010097085.tif 000005
【図４】
2010097085.tif 000006
【図５】
2010097085.tif 000007
【図６】
2010097085.tif 000008
【図７】
2010097085.tif 000009
【図８】
2010097085.tif 000010
【図９】
2010097085.tif 000011